(57)【要約】動作方法は、移動局または他の無線通信装置が、サポートする無線通信ネットワークに問合せし、その問合せによって指定された電話番号に関連するディレクトリ・リスト情報の取得を可能にする。望ましくは、移動局はショート・メッセージ・サービス（ＳＭＳ）またはネットワークがサポートする他のテキスト・メッセージ設備を使用して問合せを発行し、その問合せの一部として所望のデータフォーマットを指定することができる。ネットワークは、指定された電話番号に関連するディレクトリ・リスト情報のような１つまたは複数のデータ項目を含むショート・メッセージによる応答を移動局に送り返す。問合せした番号が商業用電話番号の場合、送り返される情報の範囲は変更されるか拡張され、販売促進情報、クーポン券、販売広告などを含む。移動局は、ユーザがダイヤルする番号に応答して、つまりユーザの発信に基づいて、格納されたコンタクト・リストを更新する一部としてこのような問合せを発信することができる。
2006501713.tif 000002
【特許請求の範囲】
【請求項１】
電話番号に関連する１つまたは複数のデータ項目を無線通信ネットワークから検索する方法であって、
前記移動局から前記無線通信ネットワークへショート・メッセージによる追加情報が望まれる電話番号を含む要求を送信し、
前記ネットワークからショート・メッセージによる前記電話番号に関連する１つまたは複数のデータ項目を含む応答を受信し、
前記応答の中で受信された１つまたは複数のデータ項目を使って前記移動局のメモリを更新する、
ことを含む方法。
【請求項２】
請求項１に記載の方法において、前記１つまたは複数のデータ項目は、前記電話番号に関連するディレクトリ・リスト情報を含む前記方法。
【請求項３】
請求項２に記載の方法において、前記移動局の前記メモリを更新することは、前記電話番号に関連して前記ディレクトリ・リスト情報が格納されるように格納されたコンタクト・データを更新することを含む前記方法。
【請求項４】
請求項２に記載の方法において、前記電話番号はダイヤルされた番号であり、
前記ダイヤルされた番号に対して前記ディレクトリ・リスト情報が所望されるか否かについて前記ユーザに問合せし、
前記ダイヤルされた番号に対して前記ディレクトリ情報が所望される場合は、前記送信するステップ、受信するステップおよび更新するステップを実行することを更に含む方法において、
前記更新するステップは、前記ダイヤルされた番号と前記格納されたコンタクト・データの中の前記ディレクトリ・リスト情報とを保存することを含む前記方法。
【請求項５】
請求項４に記載の方法において、前記格納されたコンタクト・データは、コンタクト・リストを含む前記方法。
【請求項６】
請求項１に記載の方法において、前記移動局の前記メモリの中に格納されたコンタクト・リストの中の１つまたは複数の選択された電話番号のために、選択された電話番号ごとのコンタクト情報が、前記選択された電話番号に対して受信された前記１つまたは複数のデータ項目で更新されるように、送信するステップ、受信するステップおよび更新するステップを更に含む前記方法。
【請求項７】
請求項６に記載の方法において、不完全なコンタクト情報を有する前記コンタクト・リストの中で電話番号を特定することに基づいて、前記選択された電話番号を選択することを更に含む前記方法。
【請求項８】
請求項１に記載の方法において、
前記移動局のユーザが、前記移動局の中に現在格納されていない電話番号をダイヤルしたことを認識し、
前記ユーザが、前記ダイヤルした電話番号に対するディレクトリ情報を所望するか否かを決定し、
前記ダイヤルした電話番号に対するディレクトリ・リスト情報の要求を含む前記ショート・メッセージによる要求を発生し、
前記ネットワークに対して前記ショート・メッセージによる要求を送信する、
ことによって、
前記ショート・メッセージによる要求を送信するステップを実行することを更に含む前記方法。
【請求項９】
請求項８に記載の方法において、前記ショート・メッセージによる要求を前記ネットワークから受信することは、前記ダイヤルした電話番号に対するディレクトリ・リスト情報を前記ネットワークから受信することを含む前記方法。
【請求項１０】
請求項９に記載の方法において、前記移動局の前記メモリを更新することは、前記ダイヤルされた番号に関連して前記ネットワークによって送り返された前記ディレクトリ・リスト情報の少なくともいくつかを格納することを含む前記方法。
【請求項１１】
請求項１０に記載の方法において、前記ディレクトリ・リスト情報の少なくともいくつかを格納することは、前記ダイヤルされた番号と前記移動局の前記メモリに中に保持されたコンタクト・リストの中の前記ディレクトリ・リスト情報とを格納することを含む前記方法。
【請求項１２】
請求項１に記載の方法において、前記ショート・メッセージによる要求を送信することは、
前記ネットワークによってサポートされるショート・メッセージのフォーマットで要求を発生し、前記要求は前記ショート・メッセージによる応答の中で前記ネットワークにより送り返される前記いくつかのデータ項目に対するデータフォーマットを特定し、
前記ネットワークによってサポートされるショート・メッセージ・チャネルで前記ネットワークに対して前記要求を送信する、
ことを含む前記方法。
【請求項１３】
請求項１に記載の方法において、前記ショート・メッセージによる要求を送信することは、前記電話番号に関連するディレクトリ情報に対するｖＣａｒｄによる要求を送信することを含む前記方法。
【請求項１４】
請求項１３に記載の方法において、前記ショート・メッセージによる応答を前記ネットワークから受信することは、ｖＣａｒｄによる要求に対応するｖＣａｒｄを受信することを含む前記方法。
【請求項１５】
請求項１４に記載の方法において、前記移動局の前記メモリを更新することは、前記移動局の前記メモリの中に保持されたコンタクト・リストに対して受信したｖＣａｒｄを加えることを含む前記方法。
【請求項１６】
請求項１に記載の方法において、前記電話番号は、レストランに対応し、前記ショート・メッセージによる応答の中の前記１つまたは複数のデータ項目は前記レストランのメニュー情報を含み、前記メモリを更新することは、前記移動局が前記メニュー情報を表示するように、ディスプレイのメモリを更新することを含む前記方法。
【請求項１７】
移動局からの電話番号に関する情報の要求をサポートする無線通信ネットワークであって、
追加情報が所望される電話番号を示すショート・メッセージによる要求を移動局から受信し、前記電話番号に関連する１つまたは複数のデータ項目を含む対応するショート・メッセージによる応答を送信する１つまたは複数の基地局と、
前記１つまたは複数の基地局に通信で結合され、前記ショート・メッセージによる要求を処理して表示された電話番号を決定するとともに、前記ネットワークにアクセス可能な少なくとも１つのデータベースから前記１つまたは複数のデータ項目を検索するネットワークに基づき前記ショート・メッセージによる応答を発生するメッセージセンタと、
を含む無線通信ネットワーク。
【請求項１８】
請求項１７に記載のネットワークにおいて、前記少なくとも１つのデータベースは、ディレクトリ情報データベースを含む前記ネットワーク。
【請求項１９】
請求項１８に記載のネットワークにおいて、前記ディレクトリ情報データベースは、前記移動局に送り返されたショート・メッセージによる応答の中に含まれる前記１つまたは複数のデータ項目が、前記ショート・メッセージによる要求によって指示された前記電話番号に対応するディレクトリ情報を含むように、複数の電話番号に対する名前と住所との情報を含む前記ネットワーク。
【請求項２０】
請求項１７に記載のネットワークにおいて、前記指示された電話番号がビジネス情報のデータベースの中に含まれている商業用電話番号である場合、前記少なくとも１つのデータベースはビジネス情報を含み、前記ショート・メッセージによる応答は対応するビジネス情報を含む前記ネットワーク。
【請求項２１】
請求項１７に記載のネットワークにおいて、前記少なくとも１つのデータベースは、ネットワーク・データベースを含む前記ネットワーク。
【請求項２２】
請求項２１に記載のネットワークにおいて、前記ネットワーク・データベースは、前記メッセージセンタに通信で結合される前記ネットワーク。
【請求項２３】
請求項１７に記載のネットワークにおいて、前記少なくとも１つのデータベースは、前記ネットワークによってアクセスされる外部のデータベースを含む前記ネットワーク。
【請求項２４】
請求項２３に記載のネットワークであって、前記外部のデータベースに前記ネットワークを通信で結合するデータベース・インタフェースを更に含む前記ネットワーク。
【請求項２５】
請求項２４に記載のネットワークにおいて、前記メッセージセンタは、前記データベース・インタフェースを含む前記ネットワーク。
【請求項２６】
請求項１７に記載のネットワークにおいて、前記メッセージセンタは、前記ネットワーク内でショート・メッセージ・サービスによるメッセージを処理するとともに発生するように動作可能なコンピュータシステムを含む前記ネットワーク。
【請求項２７】
請求項１７に記載のネットワークにおいて、前記ネットワークは、ＧＳＭをベースとしたネットワークを含む前記ネットワーク。
【請求項２８】
請求項１７に記載のネットワークにおいて、前記ネットワークは、ｃｄｍａ２０００をベースとしたネットワークを含む前記ネットワーク。
【請求項２９】
請求項１７に記載のネットワークにおいて、前記ショート・メッセージによる要求と応答は、ショート・メッセージ・サービス（ＳＭＳ）のフォーマットを使ったメッセージを含む前記ネットワーク。
【請求項３０】
請求項１７に記載のネットワークにおいて、前記ショート・メッセージによる要求は、前記ショート・メッセージによる応答の中に含まれデータを送り返すための所望のフォーマットを指示し、前記所望のフォーマットに従った前記１つまたは複数のデータ項目を含む前記ショート・メッセージによる応答を発生することを更に含む前記ネットワーク。
【請求項３１】
請求項３０に記載のネットワークにおいて、前記所望のフォーマットはｖＣａｒｄフォーマットを含み、前記所望のフォーマットに従った前記１つまたは複数のデータ項目を含む前記ショート・メッセージによる応答を発生することは、前記１つまたは複数のデータ項目の少なくとも１つをｖＣａｒｄ項目のようにフォーマットすることを含む前記ネットワーク。
【請求項３２】
請求項３０に記載のネットワークにおいて、前記所望のフォーマットはｖＣａｌｅｎｄｅｒフォーマットを含み、前記所望のフォーマットに従った前記１つまたは複数のデータ項目を含む前記ショート・メッセージによる応答を発生することは、前記１つまたは複数のデータ項目の少なくとも１つをｖＣａｌｅｎｄｅｒ項目のようにフォーマットすることを含む前記ネットワーク。
【請求項３３】
請求項３０に記載のネットワークにおいて、前記所望のフォーマットはＧｅｏ  Ｔａｇフォーマットを含み、前記所望のフォーマットに従った前記１つまたは複数のデータ項目を含む前記ショート・メッセージによる応答を発生することは、前記１つまたは複数のデータ項目の少なくとも１つをＧｅｏ  Ｔａｇ項目のようにフォーマットすることを含む前記ネットワーク。
【請求項３４】
無線通信ネットワークにおいて移動局が発信した問合せをサポートする方法であって、
前記ネットワークにおいて関連情報が所望される電話番号を示すショート・メッセージによる要求を移動局から受信し、
前記要求を処理するとともに、前記ネットワークにアクセス可能な１つまたは複数のデータベースの中の前記電話番号に関連する１つまたは複数のデータ項目を検索し、
前記１つまたは複数のデータ項目を含むショート・メッセージによる応答を前記要求する移動局に送信する、
ことを含む方法。
【発明の詳細な説明】
【技術分野】
【０００１】
（発明の背景）
本発明は一般に移動通信ネットワークに関し、より詳細には移動局からネットワークのデータベースに問合せしてコンタクト情報（contact information）を取得する方法に関する。
【０００２】
セルラ電話機、携帯情報端末（ＰＤＡｓ）および他の無線通信装置のような個人向け通信装置のユーザは、各種形式のコンタクト情報を使用し格納する能力により大きな恩恵を受けている。電子電話番号簿や電子住所録（electronic phone or address books）のようなコンタクト・リスト（contact lists）により、このような装置のユーザは所定の番号を便利に格納したりダイヤルしたりできるのである。しかし、このようなコンタクト・リストを維持しかつ更新することは時には退屈なことであろう。例えば、一般のセルラ電話機の機能によれば、電話機のコンタクト・リストに格納されていない「新しい」番号をユーザがダイヤルしたことが認識される。この認識に基づいて将来使用するため、この番号をコンタクト・リストに保存すべきか否かについて電話機がユーザに問合せする。ユーザがイエスと応答すると、電話機は、将来使用するため格納されているコンタクト・リストにこの新番号を加える。例えば、その番号に関連する名前、住所のような情報が追加されずにこの番号が格納されるのが当然であるから、ユーザは、この自動的に保存される番号に対して完全な情報を入力する単調なデータ入力に従事しなければならないことが多い。
【０００３】
代表的なシナリオにおけるユーザは、自己の無線通信サービスプロバイダによって提供されている電話番号案内サービスを呼び出して、そのユーザによって特定された個人またはビジネスに対応する番号を口頭で知らされる。このような電話番号案内サービスは、要求された番号に対して自動的に呼を完了させる機能（automated call completion）をユーザに提供しているが、多くのユーザは、自分が発信した呼を完了させることによって、自動的に呼を完了させる機能に付随する追加課金を回避する。注意したように、番号が新番号としてダイヤルされていることを無線装置が認識した場合、無線装置は、ユーザに名前と住所のような付随するデータ項目を入力するように促すのが一般的である。したがって、ユーザは、今番号案内センタから取得したばかりの番号のディレクトリ情報（directory information）を手動で入力することになる。
【０００４】
（発明の簡単な要約）
本発明は、ディレクトリ・リスト情報のようなコンタクト情報をサポートする無線ネットワークの移動局が問合せを開始することを可能にする方法と装置を提供する。模範的実施例における移動局は、追加情報を所望する電話番号を指定するショート・メッセージ・サービス（ＳＭＳ）による要求メッセージを発信する。この要求を受信すると、ネットワークは、１つまたは複数のデータベースにアクセスするか、他のエンティティと協調動作して適切なデータベースにアクセスし、移動局の要求メッセージの中で特定された電話番号に関連する１つまたは複数のデータ項目を送り返す。移動局が発信した要求は、番号に必要な特定情報を更に指定することができるとともに、ネットワークによって送り返されなければならない情報のデータフォーマットを指定することができる。例えば、ｖＣａｒｄでフォーマットされたコンタクト情報が必要な電話番号を特定するＳＭＳによる要求（以下、ＳＭＳ要求と記す）を発生してもよい。
【０００５】
模範的実施例におけるセルラ無線電話機や無線ＰＤＡのような移動局は、現在格納されていない番号をユーザがコンタクト・リストに入力したか、それともダイヤルしたかを認識する。この認識に基づいて装置はユーザに問合せし、ユーザがこの番号をコンタクト・リストに保存したいのか否かを決定し、もししたいのであれば、ユーザがその番号に関連するコンタクト情報を取得して格納したいのか否かを決定する。ユーザがこのようなコンタクト情報を所望することを指示すれば、装置はその番号（numbers of interest）を特定するＳＭＳ要求を発生し、所望の情報と、ネットワークが情報を送り返すために使うデータフォーマットを更に指定することができる。
【０００６】
ネットワークは、例えば、ショート・メッセージ・サービス・センタ（ＳＭＳＣ）や他の適切なネットワーク・エンティティにおいて要求を処理することによって、装置から受信した要求を処理し、発信装置に送り返すため指定された電話番号に関連する１つまたは複数のデータ項目を取得する。このデータ検索を支援する場合、ネットワークは必要または所望に応じて、他のデータベースとともにネットワークの内外にあるディレクトリ・リスト・データベース（directory listing databases）にアクセスことができる。例えば、サードパーティ・サービス・プロバイダは、問合せされた番号がビジネス番号の場合装置に送り返される電子クーポン、レストランのメニューなどのような宣伝と販売に関係する顧客データベースを維持することができる。
【０００７】
（発明の詳細な説明）
図１は、無線通信ネットワーク１０として実施されるショート・メッセージ・サービス（ＳＭＳ）システムを示している。勿論、ネットワーク１０は、移動局１２のユーザが公衆電話交換網（ＰＳＴＮ）１４のユーザと交信することを可能にする主要通信サービスを提供する。基地局サブシステム（ＢＳＳ）１６はネットワーク・サブシステム１８と一緒に、移動局１２とＰＳＴＮ１４の間の通信をサポートする。本発明に関して特に所定のネットワーク・サブシステム１８は、ネットワーク・データベース・システム２２と外部のデータベース・システム２４。またはそのいずれかのような１つまたは複数のデータベース・システムにアクセスするショート・メッセージ・サービス・センタ（ＳＭＳＣ）２０を含む。一般にＳＭＳＣ２０は、例えば、移動局１２との間のテキスト／データ・メッセージのようなショート・メッセージ・サービスをサポートする。
【０００８】
ＰＳＴＮ１４との間の音声通信／データ通信と同様、これらのＳＭＳ通信は、移動局１２とＢＳＳ１６との間の無線信号を含む。このような信号をサポートする場合、ＢＳＳ１６は、１つまたは複数の基地局コントローラ（ＢＳＣ）３２に通信で結合される基地局送受信器システム（Base Transceiver Systems：ＢＴＳ）３０を含むのが普通である。次にＢＳＣ３２は、ＳＭＳＣ２０と他の各種ネットワーク・エンティティに通信で結合される移動体通信交換局（ＭＳＣ）３４とＢＳＳ１６を通信で結ぶ。このようなエンティティは、ホーム・ロケーション・レジスタ（ＨＬＲ）３６、ビジタ・ロケーション・レジスタ（ＶＬＲ）３８、装置特定レジスタ（ＥＩＲ）４０および認証センタ（ＡｕＣ）４２を含むのが普通である。図示のように、ネットワーク１０のアーキテクチャは移動通信用グローバル・システム（ＧＳＭ）の規格に基づく実施と一致しているが、本発明はＧＳＭの実施に決して限定されないことを当業者は理解すべきである。
【０００９】
本発明によれば、移動局１２がＳＭＳ要求を開始すると、この要求は追加情報を所望する電話番号を含むか、追加情報を所望する電話番号を特定する。したがって、本発明は広い意味で移動局が発信した情報要求を含んでいるが、この情報要求は、移動局が発信した要求に応答してネットワークが発生するＳＭＳ応答の型式で１つまたは複数のデータ項目を移動局１２が受信するように、ネットワーク１０の影響を受ける。
【００１０】
図２は、代表的な移動局１２を示しているが、移動局１２のアーキテクチャは移動局１２の型式に依存してかなり変わることを当業者は理解できるであろう。図２に示す移動局１２は、完全に機能的なセルラ無線送受信器であり、その設計は当業者に周知である。移動局１２は、アンテナ５０、アンテナインタフェース回路５２、受信器５４、送信器５６、ベースバンドコントローラ５８、システムマイクロコントローラまたはマイクロプロセッサ６０、１つまたは複数のメモリ装置またはメモリシステム６２、メモリ６２に保持されるコンタクト・リスト（contact list）６４のような格納された情報および、一般にマイク７０、オーディオスピーカ７２、ディスプレイ７４およびキーパッド７６を含むユーザインタフェース６８をシステムコントローラ６０に結合する１つまたは複数の入出力装置６６を含む。
【００１１】
模範的動作の場合、移動局１２のユーザが所定の電話番号に関連する情報要求を発信すると、移動局１２は所定の電話番号の特定を含む適切なＳＭＳ要求を発生し、その電話番号に関連する１つまたは複数のデータ項目を含むＳＭＳ応答をネットワーク１０から受信して、受信した情報を使って自局のメモリ６２を更新する。このような更新は、コンタクト・リスト６４のようにメモリ６２の不揮発性部分の中に受信したデータ項目の記憶装置を含んでいてもよいし、単にディスプレイ７４へ出力する情報を供給するために使用される更新用ワーキングメモリを含んでいてもよい。したがって、ユーザはコンタクト情報を要求することができるとともに、一時的な使用のためにその情報を表示させたり、後で検索するために、あるいは、それの何らかの組み合わせをつくるために永久に格納させたりすることができる。
【００１２】
図３は、本発明の１つの模範的実施例における移動局１２の動作を示している。図３は、ＳＭＳによる番号情報の要求を開始する一般的な処理を示しているが、当業者によれば機能を追加するためにこの処理を容易に改造することができる。処理は、ユーザによる所定の電話番号の特定または選択で始まる（ステップ１００）。電話番号に対するコンタクト情報が所望される場合（ステップ１０２）、移動局１２は、所定の電話番号を含むか、さもなければ特定するＳＭＳ要求を発生する（ステップ１０４）。番号に関連する情報が所望されない場合、ＳＭＳの処理に関する処理は終了する。
【００１３】
情報が存在しないエラーまたは入手不能の場合、ネットワーク１０は移動局が発信した情報要求に応答してＳＭＳメッセージを送り返す。したがって、要求した情報が送り返されているか否かに基づいて（ステップ１０６）、移動局１２はエラー報告と何らかの他の表示のいずれかをユーザに与える（ステップ１０８）か、あるいは、受信した情報でメモリを更新する（ステップ１１０）。移動局１２はユーザに対するディスプレイ出力として使用されるメモリを更新するとともに、メモリ６２の中に格納されているコンタクト・リスト６４を更新するか、またはそれらのいずれかを実行する。
【００１４】
この考察で使用されている「ＳＭＳメッセージ」という用語は広く解釈されるべきである。例えば、GMSネットワーク内では、ＳＭＳメッセージは、ネットワークのオーバヘッドを最小化するとともに移動局１２に対して専用データチャネルの割り当てを要求しない低速データチャネル（ＳＤＣＣＨ）を使用して送られる１６０文字のテキスト・メッセージを含むのが普通である。ＧＳＭの文脈では、アクティブな音声の呼の継続時間のようなアクティブな他の通信と同時にＳＭＳメッセージを送信したり受信したりすることができる。しかし、本発明が、ＳＭＳサービス、ショート・テキスト・メッセージ・サービスまたは類似のメッセージサービスを各ネットワークが独自に実現可能なネットワーク型式にわたって広範囲なアプリケーションを考えていることを理解しなければならない。したがって、後で詳細に説明するように、本発明は、ネットワークの型式とメッセージサービスの範囲内で利用されうる。したがって、ここで使用する「ＳＭＳメッセージ」という用語をＧＳＭが使う詳細事項に限定せず、広範囲な構成にしなければならない。
【００１５】
本発明による移動局から発信された情報要求の一部として送信され送り返されたメッセージのフォーマットとデータの型式は、広範な変化の他の分野を表す。例えば、少なくとも１つの模範的実施例において、移動局１２によって発生した要求は、その応答の中でネットワーク１０により送り返される情報のために使用されなければならないデータフォーマットを指定する。模範的フォーマットは、ｗｗｗ．ｉｍｃ．ｏｒｇにある情報のウェブ・サイトを保守するインターネット・メール・コンソーシアムによって定義された標準的コンタクト情報とカレンダ情報のフォーマットとを表す、ｖＣａｒｄフォーマットとｖＣａｌｅｎｄｅｒフォーマットとを含む。関心のある読者は、標準に関する正式文書ＲＦＣ２４２５とＲＦＣ２４２６との中のｖＣａｒｄに関する追加情報を取得することができる。ｖＣａｌｅｎｄｅｒに対する同様な詳細は、標準に関する正式文書ＲＦＣ２４４５、２４４６および２４４７の中で見ることができる。インターネット・メール・コンソーシアム（ＩＭＣ）によって定義されているように、ｖＣａｒｄの特徴は、以下に示す項目を含む。
●名前、住所、電子メールアドレスおよび該当するインターネットのユニバーサル・リソース・ロケータ（ＵＲＬ）のようなディレクトリ情報
●写真、企業のロゴ、オーディオクリップなどを含むマルチメディア情報
●地理的位置情報
●複数言語情報
同様に、ｖＣａｌｅｎｄｅｒ情報は、個人情報管理（ＰＩＭ）機能に関するスケジューリング・アポイントメント情報を含むことができるとともに、ｔｏ−ｄｏ情報と他のタスク一覧、またはそれらのいずれかを含むことができる。ネットワーク１０によって送り返される情報に対して指定され使用されうる他の標準データフォーマットは、地理に関係する情報を与えるＧＥＯ  ＴＡＧデータを含む。他の業界標準を仕様することができ、更に著作権を有するデータフォーマットを使用することができることは勿論である。
【００１６】
図４は、新しくダイヤルした電話番号に対して番号が関連する情報を取得する場合のユーザを移動局１２が支援する模範的実施例を示している。処理は、ユーザによってダイヤルされた番号が「新しい」電話番号であるか否かを決定する移動局１２によって開始する（ステップ１２０）。番号が新しく、例えばコンタクト・リスト６４の中にこれまで無かった場合、移動局１２は、ユーザがその電話番号を保存したいか否かを指示するようにユーザを促す（ステップ１２２）。ユーザがその番号を保存したくなければ処理は終わるが、記憶させたい場合、移動局１２は、メモリ６２にその番号を格納する。この動作は、メモリ６２の不揮発性部分に格納されるコンタクト・リスト６４の中に新しいコンタクト・レコードを発生させることを含んでいる（ステップ１２４）。
【００１７】
番号を保存した後の適当な時間に、移動局１２は、コンタクト情報を追加することを希所望する否かについてユーザに問合せする（ステップ１２６）。例えば、移動局は呼の終了まで待ち合わせ、呼がアクティブである間ユーザを混乱させることを回避することができる。ユーザが追加情報を所望することを指示すると、移動局１２は、所定の番号を特定するか指示する適当なＳＭＳ要求を発生するとともに（ステップ１２８）、上に説明したようにネットワークに対してその要求を送信する。
【００１８】
ネットワーク１０が要求に応じた情報を送り返さない場合（ステップ１３０）、移動局１２は、例えば、ディスプレイ７４上にエラーインジケータを表示することにより、必要に応じてユーザにエラーを報告することができる（ステップ１３２）。少なくともいくつかの実施例においては、ネットワーク１０が所定の時間中に要求に応答することを失敗した場合にエラー報告が発生するように、移動局１２は応答タイマを保持している。
【００１９】
ネットワーク１０が情報を送り返すと、移動局１２は、電話番号に関連するレコードの中で送り返された情報をコンタクト・リスト６４の中に格納することによってメモリ６２を更新することを含め、いかなる数の対策でもとることができる（ステップ１３４）。この点について、ＳＭＳＣ２０によってアクセスされるデータベース・システム２２または２４は、「イエロー」または「ホワイト」ページのデータベースのような、ディレクトリ・リスト情報を含むことができる。このように移動局１２を使用すると、新しくダイヤルした番号に対してネットワーク１０で入手可能な、詳細なディレクトリ情報を含むその番号のコンタクト・リスト入力を自動的に発生するという利点がある。
【００２０】
一般に本発明は、番号に関連するデータのため移動局が発信したＳＭＳ要求を含んでおり、このデータによって移動局１２のユーザが所定の電話番号に関連する各種情報にアクセスするとともに受信することが可能になる。ある意味では、この機能は、ユーザに完全に機能する「リバースディレクトリ情報」サービスを提供しており、その中ではユーザが番号を入力すると、その番号に関連する１つまたは複数のデータ項目をネットワーク１０から受信する。このようなデータ項目は、ｖＣａｒｄとｖＣａｌｅｎｄｅｒ、更にディレクトリ・リスト情報、またはそのいずれかとして特定されているが、本発明は、このようなデータ項目に限定されない。事実、所定の番号は、所定の番号に関連するベンダから品物またはサービスを購入するためユーザが使用できるクーポン券の配送を可能にする商業用番号であるかもしれない。このようなクーポン券は各種フォーマットで移動局１２に送り返され、問題としているビジネスに後で現れるためメモリ６２に格納される。事実、少なくともいくつかの実施例では、本発明は商業用アプリケーションにとくに関心のある追加機能を更に含んでいる。
【００２１】
このような１つの実施例で、移動局１２が商業用電話番号に関する問合せを発信すると、その電話番号に関連するベンダは要求側の特定番号と位置が与えられるので、自社の広告のより詳細な目標を定めることができる。このような問合せに関連するベンダにネットワーク１０が解除した情報を特定する量は、移動局１２の個々のユーザによって承認された解除基準に一致したネットワーク・サービス・プロバイダによって実施されるプライバシ・ポリシによって制御されうる。
【００２２】
上記変動を考え、図５は、一般化された模範的要求／応答動作を示しており、その中で移動局１２は、特定した電話番号に関連するデータのＳＭＳ要求を発信し、対応するＳＭＳ応答メッセージの中でネットワーク１０から１つまたは複数のデータ項目を受信する。以前に考察したように、このようなデータ項目はｖＣａｒｄ、ｖＣａｌｅｎｄｅｒ、地理的情報、詳細な方向、レストランのメニューなどを含むがそれらに限定されない。
【００２３】
対応する結果の中で送り返される要求の発生、データのフォーマットおよびデータの型式について実行されうる多数の変化だけでなく、本発明は多様なネットワークにわたって実施されうる。本考察は、ＧＳＭ型ネットワークで実施される本発明の例示で始まったが、図６は、ｃｄｍａ２０００の規格に基づいて実施される無線通信ネットワーク１０を示している。したがって、本発明による移動局が発信した番号情報要求をサポートするＳＭＳを使ったメッセージは、パケットデータを運ぶＩＰベースのネットワークで実施されうる。この場合、前に図１で示したように、ネットワーク１０はＢＴＳ３０、ＢＳＣ３２、ＳＭＳ−Ｃ２０およびデータベース・システム２２、２４を含んでいるが、このようなエンティティは該当するＣＤＭＡ規格による動作のために適切に再構成されることを理解すべきである。
【００２４】
ここでパケット・データ・サービング・ノード（ＰＤＳＮ）８２、ホーム・エージェント（ＨＡ）８４およびアクセス許可認証（ＡＡＡ）サーバ８６を含むパケット・コア・ネットワーク（ＰＣＮ）８０は、ゲートウエイ・ルータ９２を介してインターネット９０に結合する管理されたＩＰネットワーク８８に移動局１２を通信で結合する。図示のように、番号に関連する情報は、自ネットワークが持つ１つまたは複数のデータベース・システム２２を使用するネットワーク１０によって取得されるか、ＳＭＳ−Ｃ２０に直接または間接的に結合するサードパーティ・プロバイダ（３ＰＰ）のデータベース・システム２４と協力して取得されるか、あるいは、インターネット９０を介してネットワーク１０にアクセス可能である。
【００２５】
上記考察と添付の図面が例示しているように、本発明は広範囲なネットワークの型式とデータフォーマットに適合可能である。したがって、本発明は、ここに含まれる模範的な詳細によって限定されるものではなく、特許請求の範囲とそれと等価と認められる記述によってのみ限定されるもとのする。
【図面の簡単な説明】
【００２６】
【図１】無線通信サービスを提供する模範的無線通信ネットワークを示す図である。
【図２】図１の無線通信ネットワークの中で動作する模範的移動局を示す図である。
【図３】本発明による移動局の模範的動作を示す図である。
【図４】新番号のための情報検索に関する移動局の模範的動作を示す図である。
【図５】移動局の中に格納されたコンタクト情報の模範的データレコード構成を示す図である。
【図６】図１のネットワークに関する他の模範的実施例を示す図である。
【図１】
2006501713.tif 000003
【図２】
2006501713.tif 000004
【図３】
2006501713.tif 000005
【図４】
2006501713.tif 000006
【図５】
2006501713.tif 000007
【図６】
2006501713.tif 000008
【手続補正書】
【提出日】平成16年10月22日(2004.10.22)
【手続補正１】
【補正対象書類名】特許請求の範囲
【補正対象項目名】全文
【補正方法】変更
【補正の内容】
【特許請求の範囲】
【請求項１】
無線移動局において、電話番号に対するディレクトリ情報を無線通信ネットワークから取得する方法であって、
前記移動局において維持されるコンタクト・データベースには、前記移動局に入力された電話番号に対するディレクトリ情報が無いことを決定し、
前記決定するステップに応答して前記電話番号に対するディレクトリ情報を要求するショート・メッセージによる要求を前記ネットワークに選択的に送信し、
前記電話番号に対するディレクトリ情報を含むショート・メッセージによる応答を前記ネットワークから受信し、
前記ショート・メッセージによる応答の中に含まれる前記ディレクトリ情報に基づいて前記コンタクト・データベースを更新する、
ことを含む方法。
【請求項２】
請求項１に記載の方法において、前記移動局において維持されるコンタクト・データベースには、前記移動局に入力された電話番号に対するディレクトリ情報が無いことを決定することは、前記移動局に入力された電話番号が前記コンタクト・データベースの中に格納されていないことを認識することを含む前記方法。
【請求項３】
請求項１に記載の方法において、前記移動局において維持されるコンタクト・データベースには、前記移動局に入力された電話番号に対するディレクトリ情報が無いことを決定することは、コンタクト・データベースの中に格納された前記電話番号に対するディレクトリ情報が不完全であることを認識することを含む前記方法。
【請求項４】
請求項１に記載の方法において、前記移動局において維持されるコンタクト・データベースには、前記移動局に入力された電話番号に対するディレクトリ情報が無いことを決定することは、前記電話番号に対するディレクトリ情報が現在コンタクト・データベースの中に格納されていないことを認識することを含む前記方法。
【請求項５】
請求項１に記載の方法であって、前記コンタクト・データベースの中に格納された不完全なディレクトリ情報を有する電話番号を特定するために、前記コンタクト・データベースを評価するとともに、前記特定された電話番号に対して前記送信するステップ、受信するステップおよび更新するステップを実行することを更に含む前記方法。
【請求項６】
請求項１に記載の方法において、前記決定するステップに応答し、前記電話番号に対するディレクトリ情報を要求するショート・メッセージによる要求を前記ネットワークに選択的に送信することは、前記番号のディレクトリ情報が前記ユーザによって所望されているか否かを指示するようにユーザを促すとともに、前記指示に応答して前記ショート・メッセージによる要求を発信するか否かを決定することを含む前記方法。
【請求項７】
請求項１に記載の方法であって、前記移動局にディレクトリ情報を送り返すために使用される前記データフォーマットを特定するために前記ショート・メッセージによる要求を構成することを更に含む前記方法。
【請求項８】
請求項１に記載の方法であって、前記電話番号に対して送り返されたディレクトリ情報がｖＣａｒｄフォーマットであるように、前記ショート・メッセージによる要求をｖＣａｒｄ要求メッセージとして構成することを更に含む前記方法。
【請求項９】
請求項１に記載の方法において、前記電話番号はレストランに対応し、前記レストランのメニュー情報を前記ネットワークから受信するとともに、前記移動局のユーザに前記メニュー情報を表示することを更に含む前記方法。
【請求項１０】
電話番号のディレクトリ情報を前記ネットワークから取得する移動局をサポートする無線通信ネットワークであって、
ディレクトリ情報が所望される電話番号を指示するショート・メッセージによる要求を移動局から受信し、前記指示された電話番号のディレクトリ情報を含む対応するショート・メッセージによる応答を送信する１つまたは複数の基地局と、
前記１つまたは複数の基地局に通信で結合され、前記ショート・メッセージによる要求を処理して前記指示された電話番号を決定するとともに、前記ネットワークにアクセス可能なデータベースから前記ディレクトリ情報を検索するネットワークに基づき前記ショート・メッセージによる応答を発生するメッセージセンタと、
を含む無線通信ネットワーク。
【請求項１１】
請求項１２に記載のネットワークにおいて、前記データベースは、ディレクトリ情報データベースを含む前記ネットワーク。
【請求項１２】
請求項１０に記載のネットワークにおいて、前記指示された電話番号がビジネス情報のデータベースの中に含まれている商業用電話番号である場合、前記データベースはビジネス情報を含み、前記ショート・メッセージによる応答は対応するビジネス情報を含む前記ネットワーク。
【請求項１３】
請求項１０に記載のネットワークにおいて、前記少なくとも１つのデータベースは、ネットワーク・データベースを含む前記ネットワーク。
【請求項１４】
請求項１０に記載のネットワークにおいて、前記データベースは、前記ネットワークによってアクセスされる外部のデータベースを含む前記ネットワーク。
【請求項１５】
請求項１０に記載のネットワークにおいて、前記メッセージセンタは、前記ネットワーク内でショート・メッセージ・サービスによるメッセージを処理し発生するように動作可能なコンピュータシステムを含む前記ネットワーク。
【請求項１６】
請求項１０に記載のネットワークにおいて、前記ネットワークは、ＧＳＭをベースとしたネットワークを含む前記ネットワーク。
【請求項１７】
請求項１０に記載のネットワークにおいて、前記ネットワークは、ｃｄｍａ２０００をベースとしたネットワークを含む前記ネットワーク。
【請求項１８】
請求項１０に記載のネットワークにおいて、前記ショート・メッセージによる要求と応答は、ショート・メッセージ・サービス（ＳＭＳ）フォーマットのメッセージを含む前記ネットワーク。
【請求項１９】
請求項１０に記載のネットワークにおいて、前記ショート・メッセージによる要求は、前記ショート・メッセージによる応答の中に含まれるべき所望のディレクトリ情報のための所望のフォーマットを指示し、前記所望のフォーマットに従ってフォーマットされたディレクトリ情報を含む前記ショート・メッセージによる応答を発生することを更に含む前記ネットワーク。
【請求項２０】
請求項１９に記載のネットワークにおいて、前記所望のフォーマットに従ってフォーマットされたディレクトリ情報を含む前記ショート・メッセージによる応答を発生することは、ｖＣａｒｄフォーマット、ｖＣａｌｅｎｄｅｒフォーマットおよびＧｅｏ  Ｔａｇフォーマットの少なくとも１つに従って前記ディレクトリ情報をフォーマットすることを含む前記ネットワーク。
【国際調査報告】
2006501713.tif 000009
2006501713.tif 000010
2006501713.tif 000011